(57)【特許請求の範囲】
【請求項１】
漁師や釣り人等が釣り上げた魚を、その場で活き締めする際に使用する魚の活き締め用の電動カッターであって、本体ケース内先端がわに適宜駆動手段を内蔵すると共に、本体ケース内基端がわに適宜バッテリー収納部を設けてなるカッター本体と、このカッター本体の先端部に設けた刃取付片に互換可能に装着される切断刃とを備え、カッター本体の刃取付片は、その前端がわが本体ケースの外方に突出するように形成され、その後端がわが駆動手段に連繋できるように形成され、適宜モーターの駆動力で前後方向に往復動可能となるように形成され、切断刃は、腐食し難い適宜材料によって構成され、しかも、カッター取付片に装着される取付部と、この取付部の先端がわに設けられると共に、刃先が略鋸刃状となるような刃部とを有し、カッター本体に設けた作動ボタンによって、駆動手段が作動して、刃取付片と共に切断刃が前後方向に往復動し、刃部で魚の背骨を切断できるように形成され、切断刃の刃部の刃先は、切断刃の前進時に切断できるような鋸刃状に形成され、切断刃の切っ先がわ外縁部分は、外縁に行くに従って厚みが漸次薄くなるように形成され、刃部の刃先稜線部分は、切断刃の往復動方向に沿う見掛け上の中心線に対して、基端がわに行くに従って中心線から漸次離れるような傾斜状態に形成され、カッター本体の本体ケースの先端部分には、切断刃を覆うようなキャップ体が着脱自在に装着できるよう形成し、切断刃の取付部には、連結用のボルトが挿通可能となる取付孔を穿設すると共に、ダボ状の係止突起を突設し、刃取付片の前端がわには、連結用のボルトが挿通可能となる取付孔と、取付部の係止突起が係止可能となる係止孔を穿設し、ボルト、ナットによって、切断刃の取付部が刃取付片に互換装着できるよう構成し、本体ケースの先端部分には、適宜パッキンが内装されて、本体ケースと刃取付片との間の隙間に於ける防水処理が行えるように形成し、作動ボタンは、バッテリー収納部に収納されるバッテリーの電流を駆動手段のモーターに任意に供給できるように形成したもので、本体ケースを手指で握持したときに、親指等によって押圧し易い位置に配置され、ゴムキャップ等による防水機能を備えるよう構成したことを特徴とする魚の活き締め用ワンタッチ電動カッター。
【発明の詳細な説明】
【０００１】
【発明の属する技術分野】
本発明は、主に、漁師や釣り人等が釣り上げた魚を、その場で簡単に活き締めできるように工夫した魚の活き締め用ワンタッチ電動カッターに関するものである。
【０００２】
【従来の技術】
従来、釣り上げた魚を活き締めする場合、包丁やナイフ等の刃物が利用され、例えば、刃物の切っ先を釣り上げた魚のエラの間から刺し込み、目の内側少し上に向って突き刺すようにして、魚の背骨（脊椎）の神経を切ると共に血抜きをするようにしている。
【０００３】
【発明が解決しようとする課題】
しかしながら、前述の如く包丁やナイフ等の刃物によって魚の背骨（脊椎）の神経を切る場合、一方の手で魚を押えながら他方の手で刃物を操作することとなり、活き締め作業自体が非常に難しく、これを確実に且つ瞬時に行えるようになるには、かなりの熟練を要する等の難点があった。特に、背骨（脊椎）が太い魚を処理する場合は、かなりの腕力を要し、処理に時間がかかり、上手に活き締めできない等の難点があった。
【０００４】
そこで、本発明は、前述の如き難点等の解消を図り、魚の背骨（脊椎）の神経を熟練を要することなく簡単に且つ短時間で切れるようにし、誰でも最良の活き締め処理が行え、特に、背骨（脊椎）が太い魚であっても、腕力が不要で、短時間での処理が行え、しかも、取扱いが簡単で、使い勝手が良く、構成が簡素で、量産に適し、低廉で、経済的な魚の活き締め用ワンタッチ電動カッターを提供できるようにすべく創出されたものである。
【０００５】
【課題を解決するための手段】
しかして、請求項１記載の魚の活き締め用ワンタッチ電動カッターにあっては、漁師や釣り人等が釣り上げた魚を、その場で活き締めする際に使用する魚の活き締め用の電動カッターであって、本体ケース１内先端がわに適宜駆動手段Ａ１を内蔵すると共に、本体ケース１内基端がわに適宜バッテリー収納部Ａ２を設けてなるカッター本体Ａと、このカッター本体Ａの先端部に設けた刃取付片３に互換可能に装着される切断刃Ｂとを備え、カッター本体Ａの刃取付片３は、その前端がわが本体ケース１の外方に突出するように形成され、その後端がわが駆動手段Ａ１に連繋できるように形成され、適宜モーターの駆動力で前後方向に往復動可能となるように形成され、切断刃Ｂは、腐食し難い適宜材料によって構成され、しかも、カッター取付片３に装着される取付部１０と、この取付部１０の先端がわに設けられると共に、刃先が略鋸刃状となるような刃部１１とを有し、カッター本体Ａに設けた作動ボタン２によって、駆動手段Ａ１が作動して、刃取付片３と共に切断刃Ｂが前後方向に往復動し、刃部１１で魚の背骨を切断できるように形成され、切断刃Ｂの刃部１１の刃先は、切断刃Ｂの前進時に切断できるような鋸刃状に形成され、切断刃Ｂの切っ先がわ外縁部分は、外縁に行くに従って厚みが漸次薄くなるように形成され、刃部１１の刃先稜線部分は、切断刃Ｂの往復動方向に沿う見掛け上の中心線に対して、基端がわに行くに従って中心線から漸次離れるような傾斜状態に形成され、カッター本体Ａの本体ケース１の先端部分には、切断刃Ｂを覆うようなキャップ体Ｃが着脱自在に装着できるよう形成し、切断刃Ｂの取付部１０には、連結用のボルトが挿通可能となる取付孔１２を穿設すると共に、ダボ状の係止突起１３を突設し、刃取付片３の前端がわには、連結用のボルトが挿通可能となる取付孔４と、取付部１０の係止突起１３が係止可能となる係止孔５を穿設し、ボルト、ナットによって、切断刃Ｂの取付部１０が刃取付片３に互換装着できるよう構成し、本体ケース１の先端部分には、適宜パッキンが内装されて、本体ケース１と刃取付片３との間の隙間に於ける防水処理が行えるように形成し、作動ボタン２は、バッテリー収納部Ａ２に収納されるバッテリーの電流を駆動手段Ａ１のモーターに任意に供給できるように形成したもので、本体ケース１を手指で握持したときに、親指等によって押圧し易い位置に配置され、ゴムキャップ等による防水機能を備えるよう構成する手段を採用した。
【０００６】
【発明の実施の形態】
以下、本発明を図示例に基づいて説明すると、次の通りである。
本発明は、主に、漁師や釣り人等が釣り上げた魚を、その場で活き締めする（例えば、魚の背骨（脊椎）を切断して神経を切ると共に、魚の血を抜く）ときに使用される魚の活き締め用ワンタッチ電動カッターであって、この魚の活き締め用ワンタッチ電動カッターは、モーター駆動による適宜駆動手段Ａ１を内蔵すると共に、この駆動手段Ａ１を作動せしめるための適宜バッテリーが収納されるバッテリー収納部Ａ２を設けてなるカッター本体Ａと、このカッター本体Ａの先端部に設けた刃取付片３に互換可能に装着される切断刃Ｂと、この切断刃Ｂをカバーするキャップ体Ｃとを備えたものである。
そして、刃取付片３は、前記駆動装置Ａ１に連繋されて前後方向に往復動可能となるように形成され、切断刃Ｂは、カッター取付片３に装着される取付部１０と、刃先が略鋸刃状となるような刃部１１とを有し、カッター本体Ａに設けた作動ボタン２によって、駆動手段Ａ１が作動して、カッター取付片３と共に切断刃Ｂが前後方向に往復動し、刃部１１で魚の背骨（脊椎）を切断できるよう構成されたものである。すなわち、漁師や釣り人等が釣り上げた魚の背骨（脊椎）の神経を、その場で、簡単に、確実に、且つ迅速に切ることができるように構成されている。
【０００７】
前記カッター本体Ａは、適宜合成樹脂材や適宜金属材等によって本体ケース１を構成し、この本体ケース１内先端がわに駆動手段Ａ１を配し、本体ケース１内基端がわにバッテリー収納部Ａ２を設け、本体ケース１先端に刃取付片３を配し、本体ケース１の先端寄り外表面に作動ボタン２を配して構成されている。
【０００８】
また、駆動手段Ａ１は、適宜モーターの駆動力で刃取付片３を前後方向に往復動できるように構成されたものが採用され、例えば、モーターの回転力をカムやリンク等によって往復運動に変換できるように構成されたものや、作動子が往復運動をするように構成されたもの等が利用される。
【０００９】
更に、バッテリー収納部Ａ２は、駆動手段Ａ１のモーターに電流を供給するための適宜バッテリーを交換可能に収納できるよう構成されており、乾電池や、充電式の電池や、その他、適宜バッテリーの寸法、形状、数等に対応して構成されるものである。尚、比較的重量のあるバッテリーを収納するバッテリー収納部Ａ２を、本体ケース１の基端がわに配してあることにより、電動カッター全体のバランスが良くなり、手指で持ち易く、取扱い易いものとなっている。
【００１０】
そして、本体ケース１は、手指で確実に且つ安定的に握持できると共に、手指が滑り難くなるような形状、寸法に形成され、しかも、本体ケース１の基端部分は、バッテリー収納部Ａ２内のバッテリーが交換できるように形成され、本体ケース１の先端部分は、キャップ体Ｃが着脱自在に嵌合できるように形成されている。また、本体ケース１の先端部分には、適宜パッキンが内装されており、本体ケース１と刃取付片３との間の隙間に於ける防水処理が確実に行えるように構成してある。
【００１１】
前記作動ボタン２は、バッテリー収納部Ａ２に収納されるバッテリーの電流を駆動手段Ａ１のモーターに任意に供給できるようにしたもので、本体ケース１を手指で握持したときに、例えば、親指等によって押圧し易い位置に配置されている。尚、作動ボタン２は、ゴムキャップ等による防水機能を備えたものが望ましい。
【００１２】
加えて、刃取付片３は、その前端がわが本体ケース１の外方に突出するように形成され、その後端がわが駆動手段Ａ１に連繋できるように構成されており、前端がわに穿設した取付孔４と係止孔５とによって、切断刃Ｂが互換装着可能となるように構成されている。尚、取付孔４は、連結用のボルトが挿通可能に形成され、係止孔５は、後述する切断刃Ｂの係止突部１３が係止可能となるように形成されている。すなわち、刃取付片３は、切断刃Ｂが簡単に且つ確実に互換装着でき、しかも、その装着状態が安定的となるように構成されている。
【００１３】
一方、切断刃Ｂは、適宜金属材（例えば、ステンレス材）や、適宜セラミック材や、適宜複合材や、その他腐食し難い適宜材料によって構成され、その基端がわが前記カッター取付片３に装着される取付部１０となり、その先端がわが刃部１１となったものである。そして、取付部１０に穿設した取付孔１２と、取付部１０に突設せしめたダボ状の係止突部１３と、ボルト、ナットとによって、切断刃Ｂの取付部１０を刃取付片３に互換可能に装着できるよう構成されている。すなわち、取付孔１２は、連結用のボルトが挿通可能に形成され、係止突部１３は、刃取付片３の係止孔５に係止可能となるように形成されている。
【００１４】
更に、切断刃Ｂの刃部１１は、その刃先が、切断刃Ｂの前進時に切断できるような鋸刃状に構成されている。すなわち、魚のエラの間から切断刃Ｂの切っ先を刺し込んで、魚の背骨（脊椎）を切断する際に、刃先が背骨（脊椎）に対して滑り難く、確実な切断が可能となるように構成してある。
【００１５】
また、切断刃Ｂの切っ先がわ外縁部分は、外縁に行くに従って厚みが漸次薄くなるように構成されている。すなわち、切断刃Ｂの切っ先部分を魚のエラから内部にスムーズに刺し込み易くなるように構成してある。
【００１６】
そして、切断刃Ｂの刃部１１の刃先稜線部分は、切断刃Ｂの往復動方向に沿う見掛け上の中心線に対して、基端がわに行くに従って中心線から漸次離れるような傾斜状態に構成されている。すなわち、カッター本体Ａを握持したままで動かさなくても、切断刃Ｂの前進動作だけによって魚の背骨（脊椎）を適宜深さにカット（切断）できるように構成してある。
【００１７】
尚、切断刃Ｂは、活き締めしようとする魚の種類や、大きさ等に応じて、その寸法や、形状や、刃先の形状や寸法等が異なるものを複数用意しておき、必要に応じてこれらを互換装着して使用できるように構成されている。
【００１８】
キャップ体Ｃは、例えば、透明な適宜合成樹脂材等によって構成され、切断刃Ｂを確実に覆うようにカッター本体Ａに着脱自在に装着できるよう構成されたものが採用される。すなわち、その不使用時に切断刃Ｂによる事故等を確実に防止できるように構成されている。
【００１９】
ところで、電動カッターの具体的構成、形状、寸法、材質、カッター本体Ａの具体的構成、形状、寸法、材質、駆動手段Ａ１の具体的構成、形状、寸法、配設位置、バッテリー収納部Ａ２の具体的構成、形状、寸法、配設位置、本体ケース１の具体的構成、形状、寸法、材質、作動ボタン２の具体的構成、形状、寸法、材質、配設位置、刃取付片３の具体的構成、形状、寸法、材質、取付孔４の具体的形状、寸法、配設位置、数、係止孔５の具体的形状、寸法、配設位置、数、切断刃Ｂの具体的構成、形状、寸法、材質、取付部１０の具体的構成、形状、寸法、材質、刃部１１の具体的構成、形状、寸法、材質、取付孔１２の具体的形状、寸法、配設位置、数、係止突部１３の具体的構成、形状、寸法、配設位置、数、キャップ体Ｃの具体的構成、形状、寸法、材質等は、図示例等に限定されることなく適宜自由に設定、変更できるものである。
【００２０】
本発明の魚の活き締め用ワンタッチ電動カッターは、前述の如く構成されており、次にその使用例について説明すると、先ず、漁師や釣り人等が魚を釣り上げると、切断刃Ｂの切っ先を釣り上げた魚のエラの間から目の内側少し上に向って刺し込む、そして、切断刃Ｂの刃先に魚の背骨（脊椎）を当接させてから、作動ボタン２を押圧して、駆動手段Ａ１を作動せしめて切断刃Ｂを前後動させ、切断刃Ｂの刃先で魚の背骨（脊椎）を部分的（例えば、１／３程度）にカット（切断）して、神経を切ると共に血抜きをして、活け締め処理が終了する。
【００２１】
【発明の効果】
従って、請求項１記載の電動カッターは、漁師や釣り人等が釣り上げた魚を、その場で活き締めする際に使用する魚の活き締め用の電動カッターであって、本体ケース１内先端がわに適宜駆動手段Ａ１を内蔵すると共に、本体ケース１内基端がわに適宜バッテリー収納部Ａ２を設けてなるカッター本体Ａと、このカッター本体Ａの先端部に設けた刃取付片３に互換可能に装着される切断刃Ｂとを備え、カッター本体Ａの刃取付片３は、その前端がわが本体ケース１の外方に突出するように形成され、その後端がわが駆動手段Ａ１に連繋できるように形成され、適宜モーターの駆動力で前後方向に往復動可能となるように形成され、切断刃Ｂは、腐食し難い適宜材料によって構成され、しかも、カッター取付片３に装着される取付部１０と、この取付部１０の先端がわに設けられると共に、刃先が略鋸刃状となるような刃部１１とを有し、カッター本体Ａに設けた作動ボタン２によって、駆動手段Ａ１が作動して、刃取付片３と共に切断刃Ｂが前後方向に往復動し、刃部１１で魚の背骨を切断できるように形成され、切断刃Ｂの刃部１１の刃先は、切断刃Ｂの前進時に切断できるような鋸刃状に形成され、切断刃Ｂの切っ先がわ外縁部分は、外縁に行くに従って厚みが漸次薄くなるように形成され、刃部１１の刃先稜線部分は、切断刃Ｂの往復動方向に沿う見掛け上の中心線に対して、基端がわに行くに従って中心線から漸次離れるような傾斜状態に形成され、カッター本体Ａの本体ケース１の先端部分には、切断刃Ｂを覆うようなキャップ体Ｃが着脱自在に装着できるよう形成し、切断刃Ｂの取付部１０には、連結用のボルトが挿通可能となる取付孔１２を穿設すると共に、ダボ状の係止突起１３を突設し、刃取付片３の前端がわには、連結用のボルトが挿通可能となる取付孔４と、取付部１０の係止突起１３が係止可能となる係止孔５を穿設し、ボルト、ナットによって、切断刃Ｂの取付部１０が刃取付片３に互換装着できるよう構成し、本体ケース１の先端部分には、適宜パッキンが内装されて、本体ケース１と刃取付片３との間の隙間に於ける防水処理が行えるように形成し、作動ボタン２は、バッテリー収納部Ａ２に収納されるバッテリーの電流を駆動手段Ａ１のモーターに任意に供給できるように形成したもので、本体ケース１を手指で握持したときに、親指等によって押圧し易い位置に配置され、ゴムキャップ等による防水機能を備えるよう構成したので、漁師や釣り人等が釣り上げた魚の背骨（脊椎）の神経を、その場で、熟練を要することなく、簡単に、確実に、且つ迅速に切ることができるようになり、魚の活き締め処理に最適な電動カッターとなる。
更に、背骨（脊椎）が太い魚等を処理する場合であっても、腕力が不要で、短時間で処理でき、身肉が美味しく食べられるように上手に活き締めできる電動カッターとなる。
しかも、構成が簡素で、小型コンパクトに構成でき、携帯性に優れ、取扱いが簡単で、使い勝手が良く、量産に適し、低廉で、経済的な魚の活き締め用ワンタッチ電動カッターとなる。
加えて、切断刃Ｂは、刃取付片３に容易に互換装着でき、処理しようとする魚の種類や大きさ等によって切断刃Ｂを簡単に交換できるようになる。
【００２２】
また、切断刃Ｂの刃部１１の刃先は、切断刃Ｂの前進時に切断できるような鋸刃状に形成したので、切断刃Ｂが魚の背骨（脊椎）に対して滑ることなく確実に切断でき、切断作業が行い易いものとなる。
【００２３】
更に、切断刃Ｂの切っ先がわ外縁部分は、外縁に行くに従って厚みが漸次薄くなるように形成したので、切断刃Ｂの切っ先部分を魚のエラから内部にスムーズに刺し込み易いものとなる。
【００２４】
そして、切断刃Ｂの刃部１１の刃先稜線部分は、切断刃Ｂの往復動方向に沿う見掛け上の中心線に対して、基端がわに行くに従って中心線から漸次離れるような傾斜状態に形成したので、カッター本体Ａを握持したままで動かさなくても、切断刃Ｂの前進動作だけによって魚の背骨（脊椎）を適宜深さにカット（切断）できるようになる。
【００２５】
それから、カッター本体Ａの本体ケース１の先端部分には、切断刃Ｂを覆うようなキャップ体Ｃが着脱自在に装着できるよう形成したので、切断刃Ｂをキャップ体Ｃで確実に覆うことができ、その不使用時に切断刃Ｂによる事故等を確実に防止できるようになる。
【００２６】
次に、切断刃Ｂの取付部１０には、連結用のボルトが挿通可能となる取付孔１２を穿設すると共に、ダボ状の係止突起１３を突設し、刃取付片３の前端がわには、連結用のボルトが挿通可能となる取付孔４と、取付部１０の係止突起１３が係止可能となる係止孔５を穿設し、ボルト、ナットによって、切断刃Ｂの取付部１０が刃取付片３に互換装着できるよう構成したので、切断刃Ｂを刃取付片３に簡単に且つ確実に互換装着でき、しかも、切断刃Ｂの装着状態が安定的となる。
【００２７】
特に、本体ケース１の先端部分には、適宜パッキンが内装されて、本体ケース１と刃取付片３との間の隙間に於ける防水処理が行えるように形成し、作動ボタン２は、ゴムキャップ等による防水機能を備えるよう形成し、切断刃Ｂは、腐食し難い適宜材料によって構成したので、本体ケース１と刃取付片３との間の隙間に於ける防水処理が確実に行え、作動ボタン２における防水機能を確実に発揮でき、腐食し難い切断刃Ｂとなる。
【００２８】
加えて、本体ケース１内先端がわに適宜駆動手段Ａ１を内蔵すると共に、本体ケース１内基端がわに適宜バッテリー収納部Ａ２を設け、更に、作動ボタン２は、本体ケース１を手指で握持したときに、親指等によって押圧し易い位置に配置されるので、比較的重量のあるバッテリーを本体ケース１の基端がわに配することができ、電動カッター全体のバランスが良くなり、手指で持ち易く、しかも、作動ボタン２を親指等によって押圧し易く、取扱い易いものとなる。
【図面の簡単な説明】
【図１】  本発明の魚の活き締め用ワンタッチ電動カッターを例示する分解斜視図である。
【図２】  本発明の魚の活き締め用ワンタッチ電動カッターを例示する正面図である。
【符号の説明】
Ａ      カッター本体
Ａ１    駆動手段                      Ａ２    バッテリー収納部
１      本体ケース                    ２      作動ボタン
３      刃取付片                      ４      取付孔
５      係止孔
Ｂ      切断刃
１０    取付部                        １１    刃部
１２    取付孔                        １３    係止突部
Ｃ      キャップ体
【図１】
0003765008.tif 000002
【図２】
0003765008.tif 000003